【事件の表示】
　特願２０１４−５４７２５０「静止画像電力管理」拒絶査定不服審判事件〔平成２５年　６月２０日国際公開、ＷＯ２０１３／０８９９６０、平成２７年　１月２９日国内公表、特表２０１５−５０３１２６、請求項の数（１５）〕について、次のとおり審決する。
【結　論】
　原査定を取り消す。
　本願の発明は、特許すべきものとする。
【理　由】
第１　手続の経緯
　本願は、２０１２年（平成２４年）１１月１４日（パリ条約による優先権主張外国庁受理２０１１年１２月１４日（以下「優先日」という。）、アメリカ合衆国）を国際出願日とする出願であって、その手続の経緯は以下のとおりである。
　平成２８年　９月　７日付け：拒絶理由通知書
　平成２８年１２月１３日　　：意見書、手続補正書の提出
　平成２９年　５月３０日付け：拒絶理由(最後の拒絶理由）通知書
　平成２９年　７月１０日　　：意見書、手続補正書の提出
　平成２９年１２月２８日付け：平成２９年７月１０日の手続補正についての補正の却下の決定、拒絶査定（送達日：平成３０年１月９日）
　平成３０年　２月２７日　　：審判請求書の提出
第２　原査定の概要
　原査定（平成２９年１２月２８日付け拒絶査定）の概要は次のとおりである。
１．（進歩性）この出願の下記の請求項に係る発明は、その優先日前に日本国内又は外国において、頒布された下記の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。
・請求項　１−２，４−６，１０−１１，１３，１５
・引用文献等　１−２，６−７
・請求項　３，１２
・引用文献等　１−３，６−７
・請求項　７
・引用文献等　１−２，４−７
・請求項　８
・引用文献等　１−２，６−７
・請求項　９，１４
・引用文献等　１−２，６−７
　　　　　　　　　　　　　　＜引用文献等一覧＞
１.特開２００２−３１８５７７号公報
２.特開２０１１−１７０３２８号公報（周知技術を示す文献）
３.特開平０７−１２１１３７号公報（周知技術を示す文献）
４.特開２００３−２２４８６２号公報（周知技術を示す文献）
５.特開２００６−０２３３７９号公報（周知技術を示す文献）
６.特開２００３−１０８０９２号公報（周知技術を示す文献）
７.特開２００８−１９１４４２号公報（周知技術を示す文献）
第３　本願発明
　本願請求項１−１５に係る発明（以下、それぞれ「本願発明１」−「本願発明１５」という。）は、平成２８年１２月１３日に補正された特許請求の範囲の請求項１−１５に記載された事項により特定される発明であり、本願発明１及び本願発明１０は、それぞれ、以下のとおりの発明である。
「【請求項１】
　メモリデバイスにおいて画像データのフレームを記憶することと、
　画像を表示するためにディスプレイデバイスを標準モードで動作させることであって、前記標準モードは、前記画像を提示するために、前記メモリデバイスから画像データの１つまたは複数のフレームを読み取ることを備える、動作させることと、
　　画像データの現在フレームを画像データの少なくとも１つの前のフレームと比較することと、
　　前記比較に基づいて、画像データの前記現在フレームが静止画像を備えると判断することと、
　　画像データの前記現在フレームが静止画像を備えると判断したことに応答して、画像データの前記現在フレームよりも少ないビット数をもつデータを有するように画像データの修正フレームを生成するために画像データの前記現在フレームを修正することと、
　前記メモリデバイスにおいて画像データの前記修正フレームを記憶することと、
　前記ディスプレイデバイスを静止画像モードで動作させることであって、前記静止画像モードは、前記静止画像を提示するために、前記メモリデバイスから画像データの前記修正フレームを読み取ることを備える、動作させることと、
　を備える、方法。」
「【請求項１０】
　メモリデバイスにおいて画像データのフレームを記憶するための手段と、
　画像を表示するためにディスプレイデバイスを標準モードで動作させるための手段であて、前記標準モードは、前記画像を提示するために、前記メモリデバイスから画像データの１つまたは複数のフレームを読み取ることを備える、動作させるための手段と、
　画像データの現在フレームを画像データの少なくとも１つの前のフレームと比較するための手段と、
　前記比較に基づいて、画像データの前記現在フレームが静止画像を備えると判断するための手段と、
　画像データの前記現在フレームが静止画像を備えると判断したことに応答して、画像データの前記現在フレームよりも少ないビット数をもつデータを有するように画像データの修正フレームを生成するために画像データの前記現在フレームを修正するための手段と、
　前記メモリデバイスにおいて画像データの前記修正フレームを記憶するための手段と、
　前記ディスプレイデバイスを静止画像モードで動作させるための手段であって、前記静止画像モードは、前記静止画像を提示するために、前記メモリデバイスから画像データの前記修正フレームを読み取ることを備える、動作させるための手段と、
　を備える、ディスプレイデバイス。」
　なお、本願発明２−９、１５は本願発明１を減縮した発明であり、本願発明１１−１４は本願発明１０を減縮した発明である。
第４　引用文献、引用発明等
１．引用文献１について
（１）原査定の拒絶の理由に引用された上記引用文献１には、図面とともに次の事項が記載されている（下線は当審による。以下同様。）。
「【００１２】図１に示すように、
画像表示装置
入力された信号に基づきデジタルな画像データを出力する信号処理部２と、この画像データを格納する第１の記憶手段であるＶＲＡＭ４と、画像データのガンマ特性を補正するガンマ処理部（γ処理部）６と、画像データのビット数を低減してデータを縮小する画像処理部
と、縮小された画像データを格納する第２の記憶手段であるパネル対応ＲＡＭ１０と、画像データを表示する液晶パネルからなる表示パネル１２と、この表示パネル１２を駆動するドライバ部１４とを備え
これら信号処理部２、ＶＲＡＭ４、ガンマ処理部６、画像処理部
、パネル対応ＲＡＭ１０、表示パネル１２及びドライバ部１４の作動は、制御部１６によって制御される
【００１３】次に、この画像表示装置の作動について説明する。例えばアンテナ（図示せず）を介して入力された後に復調された信号は、信号処理部２に入力されてデジタル信号処理が行われた後、ＶＲＡＭ４に格納される。制御部１６は、信号処理部２に入力される信号に基づき動画データ又は静止画データのいずれであるかを判別し、判別結果に基づいて画像表示装置の制御を行う。ここでは、Ｒ（赤）、Ｇ（緑）、Ｂ（青）の３要素が各６ビットの動画データが、ＶＲＡＭ４に格納されるものとする。
制御部１６は、動画データであると判別した場合、
【００１４】
ＶＲＡＭ４に格納された画像データは、ガンマ処理部６において所定のガンマ補正データに基づきガンマ補正が行われた後、
画像データのビット数を低減する
ＲＧＢ画像データが、画像処理部
により各６ビットから各４ビットに低減された後、パネル対応ＲＡＭ１０に格納され
【００１５】
パネル対応ＲＡＭ１０に格納された画像データは、ドライバ部１４の駆動により表示パネル１２に表示され
制御部１６は、信号処理部２に入力される信号に基づき動画データであると判別した場合には、上述した動作が繰り返されるように制御する
【００１６】
一方、制御部１６が、信号処理部２に入力される信号に基づき静止画データであると判別した場合
最初の一画面分（１フレーム分）の
信号処理部２、ＶＲＡＭ４、ガンマ処理部６、及び画像処理部
の作動を停止させ、
このような制御は、制御部１６が入力信号に基づき動画データを判別するまで行われ
【００１７】このように、本実施形態の画像表示装置によれば、静止画表示時において、表示画面を維持するための最小限の構成要素のみを作動させるようにしているので、従来のように動画及び静止画を区別することなく作動させる場合に比べて、省電力化を図ることができる。特に、本実施形態においては、
画像処理部
によりビット数を低減した後の画像データをパネル対応ＲＡＭ１０に記憶させるようにしているので、パネル対応ＲＡＭ１０のメモリ容量をＶＲＡＭ４のメモリ容量よりも小さくすることができる
【００１８】また、このようにパネル対応ＲＡＭ１０のメモリ容量を小さくできる
ことから、パネル対応ＲＡＭ１０とドライバ部１４とを１チップＩＣ化して、一体化することが容易になる
ガンマ処理部６及び画像処理部
についても、同様に1チップＩＣ化して一体にすることができ、
【００１９】以上、本発明の一実施形態について説明したが、本発明の具体的な態様が上記実施形態に限定されるものではない。例えば、本実施形態においては、画像処理部８において画像処理を行う前にガンマ処理部６においてガンマ補正を行うようにしているが、
ガンマ処理部６を設けずに、ＶＲＡＭ４の画像データが画像処理部
に直接入力されるように構成し、ドライバ部１４にガンマ補正を行う機能を持たせることも可能である
信号処理部２がＶＲＡＭ４を備えた構成にすることも可能である
「【００２１】また、本実施形態においては、動画データ及び静止画データについて、画像処理部８で同一の画像処理を行っているが、図３に示すように、
画像処理部
が動画画像処理部１８ａ、静止画画像処理部１８ｂ、及び切替部１８ｃを備え
【００２２】この構成においては、
制御部１６が、信号処理部２に入力される信号に基づいて、動画データ又は静止画データのいずれであるかを判別すると、この判別結果に基づいて切替部１８ｃを作動させ、動画画像処理部１８ａ又は静止画画像処理部１８ｂのいずれか一方を選択する
ガンマ処理部６を経た画像データは、
動画画像処理部１８ａで画像処理が行われ
静止画画像処理部１８ｂで画像処理が行われ
制御手段１６は、静止画表示時において、
画像データがパネル対応ＲＡＭ１０に格納されて表示パネル１２に表示されるまでは画像表示装置全体を作動させるが、その後は、パネル対応ＲＡＭ１０、表示パネル１２、及びドライバ部１４のみを作動させ
【００２３】これにより、動画の場合と静止画の場合とで画像処理方法を変えることができるので、それぞれにふさわしい画像処理を行うことができ、省電力化を図りつつ、画質を良好に維持することができる。更に、動画表示及び静止画表示のフレームレートを異ならせることができるので、静止画表示時のフレームレートを動画表示時のフレームレートよりも下げることにより、画質を良好に維持しつつ省電力化を図ることができる。画像処理方法の一例を挙げると、
静止画画像処理部１８ｂにおける画像処理は、ディザ法や誤差拡散法などの空間的な減色方法が有効である
動画画像処理部１８ａにおける画像処理は、ＦＲＣ(Frame RateControl)法などの時間的な減色方法が有効である
「【００２５】また、
ＶＲＡＭ４及びパネル対応ＲＡＭ１０は、書き換え可能な他の半導体メモリにすることも可能である
【図３】
（２）したがって、上記引用文献１には次の発明（以下「引用発明」という。）が記載されていると認められる。
「入力された信号に基づきデジタルな画像データを出力する信号処理部２と、この画像データを格納する第１の記憶手段であるＶＲＡＭ４と、画像データのガンマ特性を補正するガンマ処理部（γ処理部）６と、画像データのビット数を低減してデータを縮小する画像処理部と、縮小された画像データを格納する第２の記憶手段であるパネル対応ＲＡＭ１０と、画像データを表示する液晶パネルからなる表示パネル１２と、この表示パネル１２を駆動するドライバ部１４とを備え、これら信号処理部２、ＶＲＡＭ４、ガンマ処理部６、画像処理部、パネル対応ＲＡＭ１０、表示パネル１２及びドライバ部１４の作動は、制御部１６によって制御される画像表示装置（【００１２】より。以下同様。）において、
　画像処理部が動画画像処理部１８ａ、静止画画像処理部１８ｂ、及び切替部１８ｃを備え（【００２１】）、
　制御部１６が、信号処理部２に入力される信号に基づいて、動画データ又は静止画データのいずれであるかを判別すると、この判別結果に基づいて切替部１８ｃを作動させ、動画画像処理部１８ａ又は静止画画像処理部１８ｂのいずれか一方を選択し（【００２２】）、
　制御部１６は、動画データであると判別した場合（【００１３】）、
　　ＶＲＡＭ４に格納された画像データは、ガンマ処理部６においてガンマ補正が行われた後（【００１４】）、動画画像処理部１８ａで画像処理が行われ（【００２２】）、動画画像処理部１８ａにおける画像処理は、ＦＲＣ(Frame RateControl)法などの時間的な減色方法が有効であり（【００２３】）、画像データのビット数を低減し（【００１４】）、
　　ＲＧＢ画像データが、画像処理部により各６ビットから各４ビットに低減された後、パネル対応ＲＡＭ１０に格納され（【００１４】）、
　　パネル対応ＲＡＭ１０に格納された画像データは、ドライバ部１４の駆動により表示パネル１２に表示され、制御部１６は、信号処理部２に入力される信号に基づき動画データであると判別した場合には、上述した動作が繰り返されるように制御し（【００１５】）、
　一方、制御部１６が、信号処理部２に入力される信号に基づき静止画データであると判別した場合（【００１６】）、
　　ガンマ処理部６を経た画像データは、静止画画像処理部１８ｂで画像処理が行われ（【００２２】）、静止画画像処理部１８ｂにおける画像処理は、ディザ法や誤差拡散法などの空間的な減色方法が有効であり（【００２３】）、画像データのビット数を低減し（【００１４】）、
　　制御手段１６は、静止画表示時において（【００２２】）、最初の一画面分（１フレーム分）の（【００１６】）画像データがパネル対応ＲＡＭ１０に格納されて表示パネル１２に表示されるまでは画像表示装置全体を作動させるが、その後は（【００２２】）、信号処理部２、ＶＲＡＭ４、ガンマ処理部６、及び画像処理部の作動を停止させ（【００１６】）、パネル対応ＲＡＭ１０、表示パネル１２、及びドライバ部１４のみを作動させ（【００２２】）、
　　このような制御は、制御部１６が入力信号に基づき動画データを判別するまで行われ（【００１６】）、
　画像処理部によりビット数を低減した後の画像データをパネル対応ＲＡＭ１０に記憶させるようにしているので、パネル対応ＲＡＭ１０のメモリ容量をＶＲＡＭ４のメモリ容量よりも小さくすることができる（【００１７】）ことから、パネル対応ＲＡＭ１０とドライバ部１４とを１チップＩＣ化して、一体化することが容易になり（【００１８】）、
　ガンマ処理部６及び画像処理部についても、同様に1チップＩＣ化して一体にすることができ（【００１８】）、
　ガンマ処理部６を設けずに、ＶＲＡＭ４の画像データが画像処理部に直接入力されるように構成し、ドライバ部１４にガンマ補正を行う機能を持たせることも可能であり（【００１９】）、
　信号処理部２がＶＲＡＭ４を備えた構成にすることも可能であり（【００１９】）、
　ＶＲＡＭ４及びパネル対応ＲＡＭ１０は、書き換え可能な他の半導体メモリにすることも可能である（【００２５】）、
　画像表示装置（【００１２】）。」
２．引用文献２について
（１）原査定の拒絶の理由に引用された上記引用文献２には、図面とともに次の事項が記載されている。
「【技術分野】
【０００１】
本発明の一態様は、
表示装置の駆動方法に関する
「【課題を解決するための手段】
【００１１】
本発明の一態様は、動画表示モードと静止画表示モードを設け、静止画表示モードのとき、駆動回路を動作させるための信号及び電圧を駆動回路に供給する動作を停止させてもその直前に書き込まれた画像を静止画として維持し、その後、表示画像を静止画として維持させるために画像信号のデータを再度書き込むことにより画素の表示状態を静止画として維持するものであり、さらに表示装置の温度によって静止画像の保持期間を設定するものである。
【００１２】
また、本発明の一態様は、相対的に高い周波数（例えば６０Ｈｚ以上）で動画を表示するモードと、相対的に低い周波数（例えば１Ｈｚ以下）で画素へ向けた画像信号のデータの書き込み動作を行う静止画表示モード又は簡易動画再生モードを設け、表示装置の温度に応じて静止画表示モード又は簡易動画再生モードの画像信号のデータの書き込み間隔を設定するものである。」
「【００３２】
記憶回路１１１は、画像信号ｉｍｇが入力され、入力された画像信号ｉｍｇをデータとして順次記憶する機能を有する回路である。記憶回路１１１は、複数のフレーム期間の画像に対応する画像信号ｉｍｇのデータを記憶するための複数のフレームメモリを有する。なお、フレームメモリ１１１ｂは、１フレーム期間分のメモリ領域を概念的に図示するものである。また、記憶回路１１１は、複数のフレーム期間の画像に対応する画像信号ｉｍｇのデータを記憶することができればよく、記憶回路１１１が有するフレームメモリの数は、特に限定されるものではない。また、フレームメモリは、例えばＤＲＡＭ（Ｄｙｎａｍｉｃ  Ｒａｎｄｏｍ  Ａｃｃｅｓｓ  Ｍｅｍｏｒｙ）、又はＳＲＡＭ（Ｓｔａｔｉｃ  Ｒａｎｄｏｍ  Ａｃｃｅｓｓ  Ｍｅｍｏｒｙ）などの記憶素子を用いて構成される。
【００３３】
比較回路１１２は、連続するフレーム期間の画像に対応する画像信号ｉｍｇのデータを記憶回路１１１から読み出し、読み出した画像信号ｉｍｇのデータを比較し、比較結果に応じた信号である制御信号ＣＴＬ１を生成し、生成した制御信号ＣＴＬ１を表示制御回路１１３及び選択回路１１５に出力する回路である。比較回路１１２では、画像データの比較を行うことにより、連続するフレーム期間の画像に対応する画像信号ｉｍｇのデータが動画を表示するためのデータであるか又は静止画を表示するためのデータであるかが判断される。
【００３４】
なお、動画とは、複数のフレーム期間に時分割した複数の画像を高速に切り替えることにより、動く画像として人間の目に認識される画像のことである。
【００３５】
また、静止画とは、動画及び部分動画と異なり、複数のフレーム期間に時分割した複数の画像を高速に切り替えて動作させた場合であっても、連続するフレーム期間、例えば第ｎのフレーム期間（ｎは自然数）と、第（ｎ＋１）のフレーム期間とで変化がない画像として人間の目に認識される画像のことである。」
「【００３７】
選択回路１１５は、制御信号ＣＴＬ１に応じて、記憶回路１１１に記憶された画像信号ｉｍｇのデータを読み出し、読み出した画像信号ｉｍｇのデータをデータ信号として選択的に出力する機能を有する回路である。なお、選択回路１１５は、比較回路１１２の検出基準により動作が設定されてもよい。」
「【００４５】
さらに、画像処理回路１０１及び補正回路１０２の動作の一例について、以下に説明する。
【００４６】
まず、画像信号ｉｍｇが記憶回路１１１に入力される。
【００４７】
記憶回路１１１は、入力された画像信号ｉｍｇのデータを順次記憶し、記憶した画像信号ｉｍｇのデータを比較回路１１２に順次出力する。
【００４８】
さらに、
比較回路１１２は、記憶回路１１１から入力された、連続するフレーム期間の画像に対応する画像信号ｉｍｇのデータを比較し、
【００４９】
例えば、
連続するフレーム期間の画像に対応する画像信号ｉｍｇのデータの間で差分を検出した場合、比較回路１１２は、比較した画像信号ｉｍｇのデータに対応する画像を動画と判断し、
【００５０】
また、
連続するフレーム期間の画像に対応する画像信号ｉｍｇのデータの間で差分が無かった場合、比較回路１１２は、比較した画像信号ｉｍｇのデータに対応する画像を静止画と判断し
【００５１】
なお、比較回路１１２における比較により検出される差分が一定の値を超えた場合に差分が検出されたと判断されるように、差分の検出基準を設定してもよい。
【００５２】
さらに、選択回路１１５は、比較回路１１２から入力された制御信号ＣＴＬ１に基づき、記憶回路１１１から画像信号ｉｍｇのデータを読み出し、読み出した画像信号ｉｍｇのデータをデータ信号として表示制御回路１１３に出力する。
【００５３】
例えば、比較回路１１２により比較した画像信号ｉｍｇのデータに基づく画像が動画と判断された場合、選択回路１１５は、記憶回路１１１から画像信号ｉｍｇのデータを読み出し、読み出した画像信号ｉｍｇのデータをデータ信号として表示制御回路１１３に出力する。
【００５４】
また、比較回路１１２により比較した画像信号ｉｍｇのデータに基づく画像が静止画と判断された場合、選択回路１１５は、表示制御回路１１３へ向けた画像信号ｉｍｇの出力を停止する。」
（２）したがって、上記引用文献２には次の技術的事項（以下「引用文献２に記載された技術的事項」という。）が記載されていると認められる。
「表示装置の駆動方法に関し（【０００１】より。以下同様。）、
　比較回路１１２は、記憶回路１１１から入力された、連続するフレーム期間の画像に対応する画像信号ｉｍｇのデータを比較し（【００４８】）、
　連続するフレーム期間の画像に対応する画像信号ｉｍｇのデータの間で差分を検出した場合、比較回路１１２は、比較した画像信号ｉｍｇのデータに対応する画像を動画と判断し（【００４９】）、
　連続するフレーム期間の画像に対応する画像信号ｉｍｇのデータの間で差分が無かった場合、比較回路１１２は、比較した画像信号ｉｍｇのデータに対応する画像を静止画と判断する（【００５０】）、表示装置の駆動方法（【０００１】）。」
３．引用文献３について
　原査定の拒絶の理由に引用された上記引用文献３には、「【００１２】・・・１６はコンパレータ１５での比較判定に基づいてパネル用供給電源１２を制御するコントローラで、静止画像表示であると比較判定されるとパネル用供給電源１２からの液晶表示パネル８への供給電源電圧を画像表示に最小限必要な電圧にまで低下させる・・・【００１３】・・・コンパレータ１５にて動作画像表示であると比較判定される・・・場合にはコントローラ１６により液晶表示パネル８に供給される電源電圧が通常どうり比較的高く設定され、動作画像表示に支障を来たさないように鮮明度の高い画像再現が行なわれる・・・」とあり、概略、静止画表示時の液晶パネルへの供給電源電圧を動画表示時よりも下げる周知技術が記載されていると認められる。
４．引用文献４、５について
　原査定の拒絶の理由に引用された上記引用文献４には、「【００３０】・・・ホストＣＰＵ等１からのＲＧＢ形式のデータをＹＵＶ形式に変換（圧縮）し、ビデオメモリ７へ書き込む機能」とあり、同じく原査定の拒絶の理由に引用された上記引用文献５には、「【００５５】例えば、ＹＵＶ信号に変換する際に、ＣＰＵから転送される映像信号のｂｉｔ数よりも小さいｂｉｔ数で量子化する。すなわち、ＲＧＢ各８ｂｉｔのｉｎ−ＲＧＢを、それより小さい６ｂｉｔのＹＵＶ信号に変換することで映像信号を圧縮する。また、例えば、人間の目が色差情報よりも輝度情報に敏感であることから、色差情報を圧縮する方法を用いてもよい。」とあり、引用文献４、５には、概略、画像データの圧縮技術として、ＲＧＢ信号をＹＵＶ信号に変換して映像信号を圧縮する周知技術が記載されていると認められる。
５．引用文献６について
（１）原査定の拒絶の理由に引用された上記引用文献６には、図面とともに次の事項が記載されている。
「【０００１】
【発明の属する技術分野】本発明は、
画像データに対応した信号によりディスプレイのマトリックス状に配列された画素を駆動するドライバ回路、及びそのドライバ回路を用いたディスプレイに関する
「【０００４】低消費電力化を実現するためには、
表示用メモリ（フレーム・メモリとも言う）を液晶ドライバに内蔵する方法
「【００１４】
【発明の実施の形態】以下に、本発明に係る表示メモリ、ドライバ回路、及びそのドライバ回路を用いたディスプレイの実施の形態について、添付の図面を参照して述べる。
第１の実施形態
図１は本発明に係るディスプレイ１の第１の実施形態の全体構成図である。ここでは、液晶ドライバ、及びその液晶ドライバ回路を用いた液晶ディスプレイを例として説明する。図１に示す液晶ディスプレイ１において、装置全体の動作を制御するプロセッサ(CPU)２、液晶ドライバ３、画像を表示する表示画面４（液晶ディスプレイの場合は、液晶パネル４となる）、液晶パネル４の水平方向にアドレスが与えられた画素の行を選択して各画素に電圧を印加してオンにする走査回路５が含まれる。
【００１５】
液晶ドライバ３は、表示メモリ７
を有する
【００１６】CPU側インターフェイス(CPU I/F)６は、CPUからの画素のデータを溜めるデータラッチ９と、セレクタ回路１０とを有する。パネル側インターフェイス(LCD I/F)８は、メモリの出力をバッファーするデータラッチ１１、セレクタ回路１２、および表示する画像データをディジタル信号からアナログ信号に変換して、液晶パネル４の画素に出力するディジタル−アナログ変換器(DAC)１３を含む。
【００１７】画像を液晶パネル４に表示するために、CPUから画素ごとのデータが転送され、CPU I/F ６のデータラッチ９で液晶パネル４の水平方向に１ライン分まで溜められ、その１ライン分のデータは同時に表示メモリ７に転送される。表示メモリ７から、液晶パネル４の水平方向に１ライン分の画素データは同時に出力されてLCD I/F ８のデータラッチ１１にラッチされ、そして同時に液晶パネルに画素データに応じた電圧を印加する。これによって、画素データは画面に表示される。」
「【００３３】第２の実施形態
本実施形態では、消費電力をさらに削減するために、メモリの電源を分割して、メモリの異なる画像データ領域に独立に電力を提供する例を述べる。本実施形態における表示メモリは、第１の実施形態の表示メモリの構成を有し、さらに、本実施形態において、該
表示メモリが複数の領域に分離され、各分離された領域または動作モードごとに電源の入り切りが制御され
【００３４】図５は電源を分割した表示メモリの構成を示す。図５において、図２と同じ構成成分の一部には同じ番号を用いている。図５において、５１a、５１ｂ、５１ｃは図２に示した第１の実施形態に係る表示メモリ７のメモリセル、５２aと５２ｂはビット線対、５３a、５３ｂ、５３ｃはワード線、５４a、５４ｂ、５４ｃはN well、５５a、５５ｂ、５５ｃはP wellを示す。メモリセル５１aにおいて、N well ５４a で、PMOSトランジスタP1とP2が形成され、P well ５５aでは、NMOSトランジスタN1、N2、２７a、２７bが形成される。NMOS N1とPMOS P1はCMOSインバータ回路２９aを構成し、NMOS N2とPMOS P2はCMOSインバータ回路２９ｂを構成する。この1対のCMOSインバータ２９aと２９ｂがフリップフロップ構成に接続され、双安定のフリップフロップ回路となる。この１対のCMOSインバータ２９aと２９ｂに、駆動電源ライン５６aにより、駆動電圧VDDを印加すると、上記双安定のフリップフロップ回路はノード２８aと２８ｂでは２つの相補的な安定な状態が保持され、ノード２８aと２８ｂはデータを記憶できる記憶ノードとなる。例えば、ノード２８aが高レベルで、ノード２８ｂが低レベルの時、データ“１”を記憶していると定義し、逆に、ノード２８aが低レベルで、ノード２８ｂが高レベルの時、情報“０”を記憶していると定義する。
【００３５】このデータを読み出す時は、まず、図示しない行アドレスデコーダに指定されたワード線、例えば、ワード線５３aにワード線電圧を印加し、NMOSトランジスタ２７a、２７ｂを導通状態にする。ビットごとに読み出す場合は、図示しない列アドレスデコーダにより、読み出すべきメモリセル、例えば、メモリセル５１a、５１ｂ、５１ｃを指定し、ワード線の指定とあわせて、メモリセル５１aを選択する事となる。ラインごと、或いは、複数メモリセルごとに読み出す場合は、例えば、メモリセル５１aを含んだメモリセルライン、又は、複数メモリセルを指定する。NMOSトランジスタ２７a、２７ｂが導通状態になっているので、ノード２８aと２８ｂの状態はビット線対５２aと５２ｂに接続された図示しない読み出しセンス・アンプに伝わる。
【００３６】メモリに記憶されたデータを液晶パネルへ出力する場合は、図示しない表示用センス・アンプにより、メモリセル５１aの現在の状態を取り出す。また、CPUからメモリに記憶されているデータを読み出す場合は、不図示のCPUセンス・アンプにより、メモリセル２１の現在の状態を取り出す。
【００３７】また、CPUからメモリセル５１aにデータを書き込むときは、以上のようにメモリセルのライン、または、複数のメモリセル、または、一つのメモリセルを選択して、NMOSトランジスタ２７a、２７ｂを導通状態にし、そして、不図示の書き込みドライバに入力された書き込みデータは、該NMOSトランジスタ２７a、２７ｂを介して、両記憶ノード２８aと２８ｂに記憶される。即ち、書き込みデータの値は１に場合は、記憶ノード２８aを高レベル、記憶ノード２８ｂを低レベルにし、データの値は０に場合は、記憶ノード２８aを低レベル、記憶ノード２８ｂを高レベルにする。
メモリセル５１ｂ、５１ｃは、メモリセル５１aと全く同じ構成を有し、５１aと同じように動作する
【００３８】さらに、本実施形態では、図５に示すように、
メモリセル５１a、５１ｂ、５１ｃの駆動電源ライン５６a、５６ｂ、５６ｃにそれぞれ電源スイッチングとして機能するPMOSトランジスタTr１、Tr２、およびTr３が接続されており、メモリセル５１a、５１ｂ、と５１ｃへの電源の入り切りを制御する
【００３９】メモリセル５１a、５１ｂ、および５１ｃの駆動電源ライン５６a、５６b、および５６ｃが接続されているN we11 ５４a、５４ｂ、５４ｃは互いに分離している。さらに、駆動電源ライン５６a、５６ｂ、５６ｃは、電源の入り切り用のトランジスタTr１、Tr２、Tr３を介しメモリセル５１a、５１ｂ、５１ｃのPMOSトランジスタの駆動電源ライン５６a、５６b、５６ｃへ接続しているので、メモリセル５１a、５１ｂ、５１ｃへの電源の供給もお互いに分離されている。図５において、VDD コントローラ VCTR1、VCTR2、およびVCTR3はトランジスタTr１、Tr２、Tr３のオン/オフを制御し、これによって、メモリセル５１a、５１ｂ、と５１ｃの電源の入り切りを制御する。この制御はVDD コントローラVCTR1、VCTR2、およびVCTR3の動作モードで設定される。
【００４０】ここで、３つのセルの例を示しているが、３セル以上の分割の場合でも同様である。また、ここで各メモリセルに一つの電源スイッチトランジスタを設けているが、実際の条件に応じて、メモリの所定領域のメモリセルの電源をまとめて制御することは、なんの支障もない。
【００４１】本実施形態の表示メモリによれば、
メモリの所定領域ごとに、電源を分離し、電源の入り切りを独立に制御する
（２）したがって、上記引用文献６には次の技術的事項（以下「引用文献６に記載された技術的事項」という。）が記載されていると認められる。
「画像データに対応した信号によりディスプレイのマトリックス状に配列された画素を駆動するドライバ回路、及びそのドライバ回路を用いたディスプレイに関し（【０００１】より。以下同様。）、表示用メモリ（フレーム・メモリとも言う）を液晶ドライバに内蔵する方法（【０００４】）において、
　液晶ドライバ３は、表示メモリ７を有し（【００１５】）、
　表示メモリが複数の領域に分離され、各分離された領域または動作モードごとに電源の入り切りが制御され（【００３３】）、
　メモリセル５１ｂ、５１ｃは、メモリセル５１aと全く同じ構成を有し、５１aと同じように動作し（【００３７】）、
　メモリセル５１a、５１ｂ、５１ｃの駆動電源ライン５６a、５６ｂ、５６ｃにそれぞれ電源スイッチングとして機能するPMOSトランジスタTr１、Tr２、およびTr３が接続されており、メモリセル５１a、５１ｂ、と５１ｃへの電源の入り切りを制御し（【００３８】）、
　メモリの所定領域ごとに、電源を分離し、電源の入り切りを独立に制御する（【００４１】）、ディスプレイ（【０００１】）。」
６．引用文献７について
（１）原査定の拒絶の理由に引用された上記引用文献７には、図面とともに次の事項が記載されている。
「【技術分野】
【０００１】
　本発明は、表示パネルでの画像の表示を制御する表示ドライバＩＣに関する。特に、本発明は、
混載メモリを備える表示ドライバＩＣに関する
「【０００３】
　
表示データを格納するためのメモリ
がＬＣＤドライバＩＣ内に設けられる
【０００４】
　一般的に、液晶ディスプレイがスタンバイモードになるとき、表示データが格納されるＳＲＡＭもスタンバイモードになる。消費電力を低減するためには、スタンバイモード時のＳＲＡＭにおけるリーク電流を抑えることが重要である。例えば、特許文献１に記載されている携帯電話は、メインディスプレイとサブディスプレイの２画面を備えており、ＳＲＡＭは、メインディスプレイ用のメモリ領域とサブディスプレイ用のメモリ領域に区分されている。そのような携帯電話においては、メインディスプレイは使用されず、サブディスプレイだけが使用される場合がある。その場合、メインディスプレイ用のメモリ領域でのリーク電流を抑えることが重要である。」
「【００２０】
　表示ドライバＩＣ１には、メモリ１０が搭載されている。このメモリ１０は、表示パネル１００に表示される画像に対応したデジタルデータである表示データを格納するために用いられる。つまり、
表示ドライバＩＣ１は、表示データ格納用の混載メモリ１０を内部に備え
「【００３４】
　２．第２の実施の形態
　
電源スイッチ回路５０は、混載メモリ１０に対する電源電圧ＶＤＤの供給を、メモリ領域毎に別々に制御し
混載メモリ１０は、メモリ領域ＭＲ１、ＭＲ２、ＭＲ３を含
それらメモリ領域毎に電力供給を制御するために、電源スイッチ回路５０は、メモリ領域ＭＲ１、ＭＲ２、ＭＲ３のそれぞれに接続されたスイッチＳＷ１、ＳＷ２、ＳＷ３を有し
【００３５】
　
例えば、
混載メモリ１０は、メインディスプレイ用のメモリ領域とサブディスプレイ用のメモリ領域に区分され
メインディスプレイは使用されずサブディスプレイだけが使用される場合に
メインディスプレイ用のメモリ領域でのリーク電流を抑える
有効である
（２）したがって、上記引用文献７には次の技術的事項（以下「引用文献７に記載された技術的事項」という。）が記載されていると認められる。
「表示データを格納するためのメモリがＬＣＤドライバＩＣ内に設けられる（【０００３】より。以下同様。）、混載メモリを備える表示ドライバＩＣに関し（【０００１】）、
　表示ドライバＩＣ１は、表示データ格納用の混載メモリ１０を内部に備え（【００２０】）、
　混載メモリ１０は、メモリ領域ＭＲ１、ＭＲ２、ＭＲ３を含み、それらメモリ領域毎に電力供給を制御するために、電源スイッチ回路５０は、メモリ領域ＭＲ１、ＭＲ２、ＭＲ３のそれぞれに接続されたスイッチＳＷ１、ＳＷ２、ＳＷ３を有し、電源スイッチ回路５０は、混載メモリ１０に対する電源電圧ＶＤＤの供給を、メモリ領域毎に別々に制御し（【００３４】）、
　例えば、混載メモリ１０は、メインディスプレイ用のメモリ領域とサブディスプレイ用のメモリ領域に区分され、メインディスプレイは使用されずサブディスプレイだけが使用される場合に、メインディスプレイ用のメモリ領域でのリーク電流を抑えるのに有効である（【００３５】）、表示ドライバＩＣ（【０００１】）。」
第５　対比・判断
１．本願発明１について
（１）対比
　本願発明１と引用発明とを対比する。
ア　引用発明の「ＶＲＡＭ４」は本願発明１の「メモリデバイス」に相当し、引用発明における「ＶＲＡＭ４」に「画像データを格納する」ことは、本願発明１における「メモリデバイスにおいて画像データ」「を記憶すること」に相当する。
　また、引用発明における「ＶＲＡＭ４」に「格納」される「画像データ」は、その後段で、「静止画表示時において、最初の一画面分（１フレーム分）の画像データがパネル対応ＲＡＭ１０に格納されて表示パネル１２に表示される」元になるものであるから、「ＶＲＡＭ４」に「格納」される「画像データ」も、「パネル対応ＲＡＭ１０に格納されて表示パネル１２に表示される」「最初の一画面分（１フレーム分）の画像データ」と同様に、「フレーム」を単位にした「画像データ」であるといえる。
　そうすると、引用発明において、「ＶＲＡＭ４」に、「フレーム」を単位にした「画像データを格納する」ことは、本願発明１における「メモリデバイスにおいて画像データのフレームを記憶すること」に相当する。
イ　引用発明の「画像表示装置」は本願発明１の「ディスプレイデバイス」に相当し、引用発明における、「制御部１６は、動画データであると判別した場合、ＶＲＡＭ４に格納された画像データは、ガンマ処理部６においてガンマ補正が行われた後、動画画像処理部１８ａで画像処理が行われ、」「パネル対応ＲＡＭ１０に格納され、パネル対応ＲＡＭ１０に格納された画像データは、ドライバ部１４の駆動により表示パネル１２に表示され」ることは、本願発明１における「画像を表示するためにディスプレイデバイスを標準モードで動作させること」に相当する。
　また、上記アに記載したように、引用発明において「ＶＲＡＭ４」に「格納」される「画像データ」は「フレーム」を単位にした「画像データ」であるから、引用発明においては、「ＶＲＡＭ４」から、「ガンマ処理部６」、「動画画像処理部１８ａ」、「パネル対応ＲＡＭ１０」及び「ドライバ部１４」を介して「表示パネル１２に表示され」るために、「ＶＲＡＭ４に格納された」、「フレーム」を単位にした「画像データ」が、「ＶＲＡＭ４」から読み取られているといえる。
　したがって、上記アをふまえると、引用発明における、「制御部１６は、動画データであると判別した場合、ＶＲＡＭ４に格納された画像データは、ガンマ処理部６においてガンマ補正が行われた後、動画画像処理部１８ａで画像処理が行われ、」「パネル対応ＲＡＭ１０に格納され、パネル対応ＲＡＭ１０に格納された画像データは、ドライバ部１４の駆動により表示パネル１２に表示され」ることであって、「表示パネル１２に表示され」るために、「ＶＲＡＭ４」から「フレーム」を単位にした「画像データ」が読み取られることは、本願発明１における、「画像を表示するためにディスプレイデバイスを標準モードで動作させることであって、前記標準モードは、前記画像を提示するために、前記メモリデバイスから画像データの１つまたは複数のフレームを読み取ることを備える、動作させること」に相当する。
ウ　引用発明における、「制御部１６が、信号処理部２に入力される信号に基づいて、動画データ又は静止画データのいずれであるかを判別」し、「信号処理部２に入力される信号に基づき静止画データであると判別」することは、本願発明１における「画像データ」「が静止画像を備えると判断すること」に相当する。
　また、上記アに記載したように、引用発明において「ＶＲＡＭ４」に「格納」される「画像データ」は「フレーム」を単位にした「画像データ」であるところ、引用発明における「信号処理部２」は、「入力された信号に基づきデジタルな画像データを出力する」ものに過ぎないから、引用発明における「制御部１６が、」「動画データ又は静止画データのいずれであるかを判別」し、「静止画データであると判別」する際に「基づ」く「信号処理部２に入力される信号」も、「ＶＲＡＭ４」に「格納」される「画像データ」と同様、「フレーム」を単位にした「画像データ」であるといえる。
　そして、引用発明では、「制御部１６は、信号処理部２に入力される信号に基づき動画データであると判別した場合には、上述した動作が繰り返されるように制御」する一方で、「制御部１６が、信号処理部２に入力される信号に基づき静止画データであると判別した場合、」「最初の一画面分（１フレーム分）の画像データがパネル対応ＲＡＭ１０に格納されて表示パネル１２に表示されるまでは画像表示装置全体を作動させるが、その後は、信号処理部２、ＶＲＡＭ４、ガンマ処理部６、及び画像処理部の作動を停止させ、パネル対応ＲＡＭ１０、表示パネル１２、及びドライバ部１４のみを作動させ」る制御を行い、「このような制御は、制御部１６が入力信号に基づき動画データを判別するまで行われ」るから、引用発明における、「制御部１６が、信号処理部２に入力される信号に基づいて、動画データ又は静止画データのいずれであるかを判別」することは、次々と「信号処理部２に入力される信号」である、「フレーム」を単位にした「画像データ」が入力される度に繰り返し行われる、すなわち、「画像データ」の現在の「フレーム」が入力される都度判別することが繰り返されるといえる。
　したがって、引用発明における、「制御部１６が、信号処理部２に入力される信号に基づいて、動画データ又は静止画データのいずれであるかを判別」し、「信号処理部２に入力される信号に基づき静止画データであると判別」することであって、「制御部１６が、信号処理部２に入力される信号に基づいて、動画データ又は静止画データのいずれであるかを判別」するのに、「画像データ」の現在の「フレーム」が入力される都度判別することが繰り返されることは、本願発明１における、「画像データの現在フレームを画像データの少なくとも１つの前のフレームと比較することと、前記比較に基づいて、画像データの前記現在フレームが静止画像を備えると判断すること」と、「画像データの現在フレームが静止画像を備えると判断すること」である点で共通するといえる。
エ　引用文献１の「制御部１６が、信号処理部２に入力される信号に基づき静止画データであると判別した場合、最初の一画面分（１フレーム分）の表示については上述した動画データの場合と同様の制御を行う」（【００１６】）という記載を参酌すると、引用発明における、「制御部１６が、信号処理部２に入力される信号に基づき静止画データであると判別した場合」の「ガンマ処理部６を経た画像データ」は、「制御部１６」が「動画データであると判別した場合」と同様、「ＶＲＡＭ４に格納された画像データ」に対して「ガンマ処理部６においてガンマ補正が行われた後」のものである。よって、引用発明では、「制御部１６が、信号処理部２に入力される信号に基づき静止画データであると判別した場合」、「ＶＲＡＭ４に格納された画像データは、ガンマ処理部６においてガンマ補正が行われた後」、「ガンマ処理部６を経た画像データは、静止画画像処理部１８ｂで画像処理が行われ、静止画画像処理部１８ｂにおける画像処理は」「画像データのビット数を低減し、」「静止画表示時において、最初の一画面分（１フレーム分）の画像データがパネル対応ＲＡＭ１０に格納されて表示パネル１２に表示される」から、引用発明において、「ＶＲＡＭ４に格納された画像データ」に対して、「静止画画像処理部１８ｂで」「画像データのビット数を低減」する「画像処理が行われ」た、「最初の一画面分（１フレーム分）の画像データ」は、「ＶＲＡＭ４に格納された画像データ」よりも、「ビット数」が「低減」された「一画面分（１フレーム分）の画像データ」である。
　また、引用発明では、上記ウに記載したように、「制御部１６が、信号処理部２に入力される信号に基づいて、動画データ又は静止画データのいずれであるかを判別」するのに、「画像データ」の現在の「フレーム」が入力される都度判別することが繰り返されるが、上記アに記載したように、引用発明において「ＶＲＡＭ４」に「格納」される「画像データ」は「フレーム」を単位にした「画像データ」であるから、引用発明において「信号処理部２に入力される信号に基づき静止画データであると判別」したときに一画面分（１フレーム分）「ＶＲＡＭ４」に「格納」される「画像データ」も、「画像データ」の現在の「フレーム」ということができる。よって、引用発明における「最初の一画面分（１フレーム分）の画像データ」は、「画像データ」の現在の「フレーム」よりも、「ビット数」が「低減」された「一画面分（１フレーム分）の画像データ」である、といえる。
　そうすると、引用発明における、「画像データ」の現在の「フレーム」よりも「ビット数」が「低減」された「最初の一画面分（１フレーム分）の画像データ」は、本願発明１における、「画像データの前記現在フレームよりも少ないビット数をもつデータを有する」「画像データの修正フレーム」に相当するといえる。そして、引用発明において、「ＶＲＡＭ４に格納された画像データ」に対して、「静止画画像処理部１８ｂで」「画像データのビット数を低減」する「画像処理が行われ」、「画像データ」の現在の「フレーム」よりも「ビット数」が「低減」された「最初の一画面分（１フレーム分）の画像データ」を生成することは、本願発明１における、「画像データの前記現在フレームよりも少ないビット数をもつデータを有するように画像データの修正フレームを生成する」ことに相当する。
　また、引用発明では、上記のように、「信号処理部２に入力される信号に基づき静止画データであると判別」したときに一画面分（１フレーム分）「ＶＲＡＭ４」に「格納」される「画像データ」は、「画像データ」の現在の「フレーム」であるから、その「画像データ」の現在の「フレーム」に対して、「静止画画像処理部１８ｂで」「画像データのビット数を低減」する「画像処理が行われ」て、「最初の一画面分（１フレーム分）の画像データ」が生成されることは、本願発明１における「画像データの前記現在フレームを修正すること」に相当する。
　したがって、上記ウをふまえてまとめると、引用発明における、「制御部１６が、信号処理部２に入力される信号に基づき静止画データであると判別した場合」、「画像データ」の現在の「フレーム」に対して、「静止画画像処理部１８ｂで」「画像データのビット数を低減」する「画像処理が行われ」て、「画像データ」の現在の「フレーム」よりも「ビット数」が「低減」された「最初の一画面分（１フレーム分）の画像データ」が生成されることは、本願発明１における、「画像データの前記現在フレームが静止画像を備えると判断したことに応答して、画像データの前記現在フレームよりも少ないビット数をもつデータを有するように画像データの修正フレームを生成するために画像データの前記現在フレームを修正すること」に相当する。
オ　引用発明の「パネル対応ＲＡＭ１０」も本願発明１の「メモリデバイス」も「記憶部」であるから、引用発明における、「静止画表示時において、最初の一画面分（１フレーム分）の画像データがパネル対応ＲＡＭ１０に格納され」ることは、上記エをふまえると、本願発明１における「前記メモリデバイスにおいて画像データの前記修正フレームを記憶すること」と、「記憶部において画像データの前記修正フレームを記憶すること」である点で共通する。
カ　引用発明における、「制御手段１６は、静止画表示時において、最初の一画面分（１フレーム分）の画像データがパネル対応ＲＡＭ１０に格納されて表示パネル１２に表示されるまでは画像表示装置全体を作動させるが、その後は、信号処理部２、ＶＲＡＭ４、ガンマ処理部６、及び画像処理部の作動を停止させ、パネル対応ＲＡＭ１０、表示パネル１２、及びドライバ部１４のみを作動させ」ることは、上記イをふまえると、本願発明１における「前記ディスプレイデバイスを静止画像モードで動作させること」に相当する。
　ここで、引用発明における、「静止画表示時」での「画像表示装置」の動作が、本願発明１における「静止画像モード」に相当し、引用発明における、「静止画表示時において、最初の一画面分（１フレーム分）の画像データがパネル対応ＲＡＭ１０に格納されて表示パネル１２に表示される」ことは、上記オ及び引用発明では「パネル対応ＲＡＭ１０に格納された画像データは、ドライバ部１４の駆動により表示パネル１２に表示され」ることをふまえると、本願発明１における、「前記静止画像モードは、前記静止画像を提示するために、前記メモリデバイスから画像データの前記修正フレームを読み取ることを備える」ことと、「前記静止画像モードは、前記静止画像を提示するために、記憶部から画像データの前記修正フレームを読み取ることを備える」点で共通するといえる。
　したがって、引用発明における、「静止画表示時において、最初の一画面分（１フレーム分）の画像データがパネル対応ＲＡＭ１０に格納されて表示パネル１２に表示されるまでは画像表示装置全体を作動させるが、その後は、信号処理部２、ＶＲＡＭ４、ガンマ処理部６、及び画像処理部の作動を停止させ、パネル対応ＲＡＭ１０、表示パネル１２、及びドライバ部１４のみを作動させ」ることは、本願発明１における「前記ディスプレイデバイスを静止画像モードで動作させることであって、前記静止画像モードは、前記静止画像を提示するために、前記メモリデバイスから画像データの前記修正フレームを読み取ることを備える、動作させること」と、「前記ディスプレイデバイスを静止画像モードで動作させることであって、前記静止画像モードは、前記静止画像を提示するために、記憶部から画像データの前記修正フレームを読み取ることを備える、動作させること」である点で共通する。
キ　そして、引用発明における、「入力された信号に基づきデジタルな画像データを出力する信号処理部２と、この画像データを格納する第１の記憶手段であるＶＲＡＭ４と、画像データのガンマ特性を補正するガンマ処理部（γ処理部）６と、画像データのビット数を低減してデータを縮小する画像処理部と、縮小された画像データを格納する第２の記憶手段であるパネル対応ＲＡＭ１０と、画像データを表示する液晶パネルからなる表示パネル１２と、この表示パネル１２を駆動するドライバ部１４とを備え、これら信号処理部２、ＶＲＡＭ４、ガンマ処理部６、画像処理部、パネル対応ＲＡＭ１０、表示パネル１２及びドライバ部１４の作動は、制御部１６によって制御され」、「画像処理部が動画画像処理部１８ａ、静止画画像処理部１８ｂ、及び切替部１８ｃを備え」る「画像表示装置」において、これまでに述べてきた各動作を行う方法が、本願発明１における「方法」に相当する。
　してみると、本願発明１と引用発明との間には、次の一致点、相違点があるといえる。
（一致点）
「メモリデバイスにおいて画像データのフレームを記憶することと、
　画像を表示するためにディスプレイデバイスを標準モードで動作させることであって、前記標準モードは、前記画像を提示するために、前記メモリデバイスから画像データの１つまたは複数のフレームを読み取ることを備える、動作させることと、
　　画像データの現在フレームが静止画像を備えると判断することと、
　　画像データの前記現在フレームが静止画像を備えると判断したことに応答して、画像データの前記現在フレームよりも少ないビット数をもつデータを有するように画像データの修正フレームを生成するために画像データの前記現在フレームを修正することと、
　記憶部において画像データの前記修正フレームを記憶することと、
　前記ディスプレイデバイスを静止画像モードで動作させることであって、前記静止画像モードは、前記静止画像を提示するために、記憶部から画像データの前記修正フレームを読み取ることを備える、動作させることと、
　を備える、方法。」
（相違点）
（相違点１）本願発明１では、「画像データの現在フレームを画像データの少なくとも１つの前のフレームと比較することと、前記比較に基づいて、画像データの前記現在フレームが静止画像を備えると判断することと、を備える」のに対し、
　引用発明では、「制御部１６が、信号処理部２に入力される信号に基づいて、動画データ又は静止画データのいずれであるかを判別」し、「信号処理部２に入力される信号に基づき静止画データであると判別」するものの、「制御部１６」が具体的にどのようにして「判別」しているのか不明な点。
（相違点２）本願発明１では、「画像データの前記修正フレームを記憶」する先であって、「前記ディスプレイデバイスを静止画像モードで動作させる」際に「前記静止画像を提示するために」「画像データの前記修正フレームを読み取る」元が、「画像データのフレームを記憶する」「メモリデバイス」であるのに対し、
　引用発明では、「制御部１６が、信号処理部２に入力される信号に基づき静止画データであると判別した場合」、「最初の一画面分（１フレーム分）の画像データがパネル対応ＲＡＭ１０に格納されて表示パネル１２に表示される」が、「パネル対応ＲＡＭ１０」は、「画像データを格納する」「ＶＲＡＭ４」とは異なる点。
（２）相違点についての判断
　事案に鑑み、上記相違点２を先に検討する。
ア　引用発明における示唆について
　引用発明には、「パネル対応ＲＡＭ１０とドライバ部１４とを１チップＩＣ化して、一体化すること」、「ガンマ処理部６及び画像処理部についても、同様に1チップＩＣ化して一体にすること」、「ガンマ処理部６を設けずに」「ドライバ部１４にガンマ補正を行う機能を持たせること」、「信号処理部２がＶＲＡＭ４を備えた構成にすること」、という各種の設計変更の示唆はあるものの、「ＶＲＡＭ４」と「パネル対応ＲＡＭ１０」とを一体化することについての示唆はない。
　また、引用発明における、「ＶＲＡＭ４及びパネル対応ＲＡＭ１０は、書き換え可能な他の半導体メモリにすることも可能である」という事項も、「ＶＲＡＭ４及びパネル対応ＲＡＭ１０」を一体の「半導体メモリにする」ことを示唆するものではない。
　一方で、引用発明では、「画像処理部によりビット数を低減した後の画像データをパネル対応ＲＡＭ１０に記憶させるようにしているので、パネル対応ＲＡＭ１０のメモリ容量をＶＲＡＭ４のメモリ容量よりも小さくすることができる」、「制御手段１６は、静止画表示時において、最初の一画面分（１フレーム分）の画像データがパネル対応ＲＡＭ１０に格納されて表示パネル１２に表示されるまでは画像表示装置全体を作動させるが、その後は、信号処理部２、ＶＲＡＭ４、ガンマ処理部６、及び画像処理部の作動を停止させ、パネル対応ＲＡＭ１０、表示パネル１２、及びドライバ部１４のみを作動させ」る、としているように、「ＶＲＡＭ４」と「パネル対応ＲＡＭ１０」とでは、性質や動作の面で異なるメモリデバイスを想定しているといえるから、引用発明において、積極的に「ＶＲＡＭ４」と「パネル対応ＲＡＭ１０」とを一体化しようとする動機づけを見出すことはできない。
イ　引用文献６、７に記載された技術的事項について
　引用文献６、７に記載された技術的事項は、もともとが、引用発明でいうところの、「パネル対応ＲＡＭ１０とドライバ部１４とを１チップＩＣ化して、一体化」したものに関するものであり、「パネル対応ＲＡＭ１０とドライバ部１４とを１チップＩＣ化して、一体化」したものに、さらに「ＶＲＡＭ４」をも一体化することを示唆するものではないから、引用発明において「ＶＲＡＭ４」と「パネル対応ＲＡＭ１０」とを一体化することを動機づけるものではない。
　また、引用文献６に記載された技術的事項では、「メモリセル５１ｂ、５１ｃは、メモリセル５１aと全く同じ構成を有し、５１aと同じように動作」するものであり、引用文献７に記載された技術的事項では、「混載メモリ１０は、メインディスプレイ用のメモリ領域とサブディスプレイ用のメモリ領域に区分され」るものであるが、一方で、引用発明は、「ＶＲＡＭ４に格納された画像データ」が、「画像処理部」で「画像データのビット数を低減してデータを縮小」され、「縮小された画像データを」「パネル対応ＲＡＭ１０」に「格納」するものであって、「ＶＲＡＭ４」と「パネル対応ＲＡＭ１０」は、同列ないしは並列で取り扱われるようなものではない。したがって、引用文献６に記載された技術的事項に、「表示メモリが複数の領域に分離され、各分離された領域」「ごとに、電源を分離し、電源の入り切りを独立に制御する」事項があり、引用文献７に記載された技術的事項に、「メモリ領域ＭＲ１、ＭＲ２、ＭＲ３を含み、それらメモリ領域毎に電力供給を制御するために、電源スイッチ回路５０は、メモリ領域ＭＲ１、ＭＲ２、ＭＲ３のそれぞれに接続されたスイッチＳＷ１、ＳＷ２、ＳＷ３を有し、電源スイッチ回路５０は、混載メモリ１０に対する電源電圧ＶＤＤの供給を、メモリ領域毎に別々に制御」する事項があったとしても、引用発明において、同列ないしは並列で取り扱われるようなものではない「ＶＲＡＭ４」と「パネル対応ＲＡＭ１０」とを、一体化しようとすることに動機づけを見出すことはできない。
ウ　引用文献２−５について
　上記引用文献２−５も、上記相違点２に関連する技術事項を記載するものではない。
エ　相違点についての判断のまとめ
　よって、相違点２に係る本願発明１の構成は、引用文献１−７に基づいて当業者が容易に想到できた構成であるとはいえず、また、本願優先日前において周知技術であるともいえない。
（３）本願発明１についてのまとめ
　したがって、上記相違点１について判断するまでもなく、本願発明１は、当業者であっても、引用文献１−７に基づいて容易に発明できたものとはいえない。
２．本願発明２−９、１５について
　本願発明２−９、１５は本願発明１を減縮した発明であり、本願発明２−９、１５は、本願発明１の上記相違点２に係る構成と同一の構成を備えるものであるから、本願発明１と同じ理由により、当業者であっても、引用文献１−７に基づいて容易に発明できたものとはいえない。
３．本願発明１０について 
　本願発明１０は、本願発明１に対応する物の発明であり、本願発明１の上記相違点２に係る構成に対応する構成を備えるものであるから、本願発明１と同様の理由により、当業者であっても、引用文献１−７に基づいて容易に発明できたものとはいえない。 
４．本願発明１１−１４について
　本願発明１１−１４は本願発明１０を減縮した発明であり、本願発明１１−１４は、本願発明１０の、本願発明１の上記相違点２に係る構成に対応する構成、と同一の構成を備えるものであるから、本願発明１０と同じ理由により、当業者であっても、引用文献１−７に基づいて容易に発明できたものとはいえない。
第６　原査定について
　以上のとおりであって、本願発明１−１５は、当業者であっても、原査定において引用された引用文献１−７に基づいて容易に発明できたものとはいえない。したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。